(57)【要約】【課題】ペン型の入力装置を使用する際に、入力装置の持ち手の状態を正確に判断して、操作性の向上を図ったペン型入力装置等を提供する。【解決手段】複数の機能を有するペン型入力装置（１）であって、柱状のペン本体（１１０）と、接触センサ（１２０）と、接触センサ（１２０）の検出結果に基づきペン本体（１１０）の保持位置を判定する検出位置判定部（１３０）と、検出位置判定部（１３０）の判定結果に基づき当該ペン型入力装置（１）の機能を特定する機能特定部（１４０）と、を備え、接触センサ（１２０）は、ペン本体（１１０）を保持する持ち手の指が接触する位置と、持ち手の親指付け根と人差し指付け根との間の一部が接触する位置とを検出することを特徴とする。【選択図】図３
2020144697.tif 000002
【特許請求の範囲】
【請求項１】
表示画面へのタッチ操作により入力操作が可能な情報処理装置に用いる複数の機能を有するペン型入力装置であって、
柱状のペン本体と、
前記ペン本体の表面の一部に設けられた接触センサと、
前記接触センサの検出結果に基づき前記ペン本体の保持位置を判定する検出位置判定部と、
前記検出位置判定部の判定結果に基づき当該ペン型入力装置の機能を特定する機能特定部と、
を備え、
前記接触センサは、前記ペン本体の表面における前記ペン本体を保持する持ち手の指が接触する位置と、前記持ち手の親指付け根と人差し指付け根との間の一部が接触する位置とを検出することを特徴とするペン型入力装置。
【請求項２】
前記接触センサは、前記ペン本体の長手方向で少なくとも２箇所以上の複数の位置に設けられることを特徴とする請求項１に記載のペン型入力装置。
【請求項３】
前記検出位置判定部は、前記接触センサの検出結果に基づき、前記ペン本体を保持する持ち手の前記ペン本体の長手方向に沿った保持位置を判定することを特徴とする請求項１に記載のペン型入力装置。
【請求項４】
前記ペン本体は、前記接触センサの特定の検出位置に対応する前記ペン本体の表面の特定位置に、前記検出位置に対応して特定される機能を明示する表示部を備えることを特徴とする請求項１に記載のペン型入力装置。
【請求項５】
前記機能特定部に特定される機能は、入力モードの設定を含むことを特徴とする請求項１に記載のペン型入力装置。
【請求項６】
前記入力モードの設定は、ペン入力による線の太さの設定、消しゴム機能の設定、ペン入力による入力状態の設定、ペン入力による線形式の設定、図形入力の設定、編集機能の設定、ペン入力の色の設定のうち少なくとも何れか一設定を含むことを特徴とする請求項５に記載のペン型入力装置。
【請求項７】
さらに、前記ペン本体に、重力センサと、
前記重力センサによる検出結果に基づき前記ペン本体を保持する持ち手を判定する持ち手判定部と、
を備えることを特徴とする請求項１に記載のペン型入力装置。
【請求項８】
前記ペン型入力装置の各部の動作処理を制御する制御部を備え、
前記制御部は、前記ペン型入力装置が適用される情報処理装置に対して、前記持ち手判定部による判定結果に基づき、前記情報処理装置の表示画面において、前記ペン本体を保持する持ち手と反対側の表示領域にオプションメニューを表示させることを特徴とする請求項７に記載のペン型入力装置。
【請求項９】
前記ペン型入力装置の各部の動作処理を制御する制御部を備え、
前記制御部は、前記ペン型入力装置が適用される情報処理装置に対して、前記持ち手判定部による判定結果に基づき、前記ペン型入力装置により入力される描画の軌跡入力位置を移動する入力位置変更部を備えることを特徴とする請求項７に記載のペン型入力装置。
【請求項１０】
表示画面へのタッチ操作により入力操作が可能な情報処理装置に用いる複数の機能を有するペン型入力装置の入力制御方法であって、
当該ペン型入力装置の柱状のペン本体が保持されたことを検出する検出工程と、
前記検出した結果に基づき前記ペン本体の保持位置を判定する判定工程と、
前記判定した結果に基づき当該ペン型入力装置の機能を特定する特定工程と、
を備え、
前記検出工程では、前記ペン本体を保持する持ち手の指が接触する位置と、前記持ち手の親指付け根と人差し指付け根との間の一部が接触する位置とを検出することを特徴とするペン型入力装置の入力制御方法。
【請求項１１】
表示画面へのタッチ操作により入力操作が可能な情報処理装置に用いる複数の機能を有するペン型入力装置のプログラムであって、
コンピュータにより、
当該ペン型入力装置の柱状のペン本体が保持されたことを検出する機能と、
前記検出した結果に基づき前記ペン本体の保持位置を判定する機能と、
前記判定した結果に基づき当該ペン型入力装置の機能を特定する機能と、
を備え、
前記ペン本体を保持する持ち手の指が接触する位置と、前記持ち手の親指付け根と人差し指付け根との間の一部が接触する位置とを検出する機能と、
を実現させることを特徴とするペン型入力装置のプログラム。
【請求項１２】
表示画面へのタッチ操作により入力操作が可能な情報処理装置と、前記情報処理装置に対して入力操作を行うペン型入力装置とを用いる情報処理システムにおいて、
前記ペン型入力装置として、請求項１に記載のペン型入力装置を用いることを特徴とする情報処理システム。
【発明の詳細な説明】
【技術分野】
【０００１】
本発明は、ペン型入力装置等に係り、特に、表示画面へのタッチ操作により入力操作が可能な情報処理装置に用いる複数の機能を有するペン型入力装置等に関する。
【背景技術】
【０００２】
従来、ペン型入力装置において、側面部に接触検知手段を設けたものが知られている。
接触検知手段は、例えば、誤動作防止のための保持状態検出のためや、クリック等の操作を行う情報入力領域を設定するために用いられている。
【０００３】
また、接触検知手段により、ペン型入力装置の持ち手を判断する技術が知られている。
従来技術として、例えば、電子機器において、ディスプレイ上で手書きしたストロークの長さや向きから持ち手を判断するようにしたものや（特許文献１を参照）、入力装置において、利用者が押圧した領域の面積から持ち手を判断するものが開示されている（特許文献２を参照）。
【０００４】
また、ペン型入力装置において、側面部に設けられたセンサにより保持位置を検出して、ペン型入力装置を操作する際に、誤操作を防止するようにしたものや（特許文献３を参照）、ペン型入力装置のグリップ部の全周に亘り接触検知手段を配置して、保持する指の位置を検出して、指の接触位置に基づいて情報入力領域を設定するようにしたものが開示されている（特許文献４を参照）。
【先行技術文献】
【特許文献】
【０００５】
【特許文献１】特許第５９８９９０３号
【特許文献２】特開２０１５−１４６０９０号公報
【特許文献３】特開２００９−２１７６０４号公報
【特許文献４】特開２０１０−２３８０４６号公報
【発明の概要】
【発明が解決しようとする課題】
【０００６】
しかしながら、特許文献１，２の技術は、いずれも持ち手を正確に判断する技術として信頼性が高いもとは言えなかった。
【０００７】
また、特許文献３，４の技術では、ペン型入力装置の保持位置を検出したり、保持する指の位置を検出するようにしているが、ペン型入力装置の向きを検出することができず、ペン型入力装置の操作が煩雑になり、操作性が悪いという問題があった。
【０００８】
本発明は、上記従来の課題に鑑みてなされたものであり、ペン型の入力装置を使用する際に、入力装置の持ち手の状態を正確に判断するとともに、ペン型入力装置の向きを検出して、操作性の向上を図ったペン型入力装置等を提供することを目的とする。
【課題を解決するための手段】
【０００９】
本発明は、表示画面へのタッチ操作により入力操作が可能な情報処理装置に用いる複数の機能を有するペン型入力装置であって、柱状のペン本体と、前記ペン本体の表面の一部に設けられた接触センサと、前記接触センサの検出結果に基づき前記ペン本体の保持位置を判定する検出位置判定部と、前記検出位置判定部の判定結果に基づき当該ペン型入力装置の機能を特定する機能特定部と、を備え、前記接触センサは、前記ペン本体の表面における前記ペン本体を保持する持ち手の指が接触する位置と、前記持ち手の親指付け根と人差し指付け根との間の一部が接触する位置とを検出することを特徴とするものである。
【００１０】
また、本発明は、表示画面へのタッチ操作により入力操作が可能な情報処理装置に用いる複数の機能を有するペン型入力装置の入力制御方法であって、当該ペン型入力装置の柱状のペン本体を保持されたことを検出する検出工程と、前記検出した結果に基づき前記ペン本体の保持位置を判定する判定工程と、前記判定した結果に基づき当該ペン型入力装置の機能を特定する特定工程と、を備え、前記検出工程では、前記ペン本体を保持する持ち手の指が接触する位置と、前記持ち手の親指付け根と人差し指付け根との間の一部が接触する位置とを検出することを特徴とするものである。
【００１１】
また、本発明は、表示画面へのタッチ操作により入力操作が可能な情報処理装置に用いる複数の機能を有するペン型入力装置のプログラムであって、コンピュータにより、当該ペン型入力装置の柱状のペン本体を保持されたことを検出する機能と、前記検出した結果に基づき前記ペン本体の保持位置を判定する機能と、前記判定した結果に基づき当該ペン型入力装置の機能を特定する機能と、を備え、前記ペン本体を保持する持ち手の指が接触する位置と、前記持ち手の親指付け根と人差し指付け根との間の一部が接触する位置とを検出する機能と、を実現させることを特徴とするものである。
【００１２】
また、本発明は、表示画面へのタッチ操作により入力操作が可能な情報処理装置と、前記情報処理装置に対して入力操作を行うペン型入力装置とを用いる情報処理システムにおいて、
前記ペン型入力装置として、柱状のペン本体と、前記ペン本体の表面の一部に設けられた接触センサと、前記接触センサの検出結果に基づき前記ペン本体の保持位置を判定する検出位置判定部と、前記検出位置判定部の判定結果に基づき当該ペン型入力装置の機能を特定する機能特定部と、を備え、前記接触センサは、前記ペン本体の表面における前記ペン本体を保持する持ち手の指が接触する位置と、前記持ち手の親指付け根と人差し指付け根との間の一部が接触する位置とを検出することを特徴とするペン型入力装置を用いることを特徴とするものである。
【発明の効果】
【００１３】
本発明によれば、柱状のペン本体の表面の一部に設けられた接触センサにより、ペン本体の保持位置を検出して、前記ペン本体を保持する持ち手の指が接触する位置と、持ち手の親指付け根と人差し指付け根との間の一部が接触する位置とを検出することで、ペン本体の保持位置を正確に判定することができ、その判定結果に基づき当該ペン型入力装置の機能を特定するようにして、操作性の向上を図ることができるペン型入力装置等を提供することができる。
【図面の簡単な説明】
【００１４】
【図１】第１実施形態に係るペン型入力装置の使用状態を示す説明図である。
【図２】前記ペン型入力装置の全体構成を示す説明図である。
【図３】前記ペン型入力装置の構成を示すブロック図である。
【図４】前記ペン型入力装置の保持状態を示す説明図である。
【図５】（ａ）、（ｂ）は前記ペン型入力装置を３本の指で保持した状態を示す説明図である。
【図６】（ａ）、（ｂ）は前記ペン型入力装置を指の基部で保持する状態を示す説明図である。
【図７】前記ペン型入力装置における機能設定を行う処理の一手順を示すフローチャートである。
【図８】第２実施形態に係るペン型入力装置の構成を示すブロック図である。
【図９】前記ペン型入力装置において設定された機能をペン本体上に表示する表示部の一例を示す説明図である。
【図１０】前記表示部と接触センサとの位置関係を示す説明図である。
【図１１】（ａ）は機能に対応する接触センサのペン本体上の位置関係を示す説明図、（ｂ）は接触センサと表示部とのペン本体上の位置関係を示す説明図である。
【図１２】第２実施形態に係るペン型入力装置において線の太さの設定を行う実施例１の設定を示す表である。
【図１３】第２実施形態に係るペン型入力装置において消しゴム設定を行う実施例２の設定を示す表である。
【図１４】第２実施形態に係るペン型入力装置において消しゴム設定を行う実施例３の設定を示す表である。
【図１５】第２実施形態に係るペン型入力装置においてペンタイプ設定を行う実施例４の設定を示す表である。
【図１６】第２実施形態に係るペン型入力装置において線タイプ設定を行う実施例５の設定を示す表である。
【図１７】第２実施形態に係るペン型入力装置において図形入力設定を行う実施例６の設定を示す表である。
【図１８】第２実施形態に係るペン型入力装置において編集設定を行う実施例７の設定を示す表である。
【図１９】第２実施形態に係るペン型入力装置においてペン入力モード設定を行う実施例８の設定を示す表である。
【図２０】第３実施形態に係るペン型入力装置の構成を示すブロック図である。
【図２１】前記ペン型入力装置におけるペン本体上の検出部と表示部との位置関係の一例を示す説明図である。
【図２２】（ａ）は第３実施形態に係るペン型入力装置におけるペン本体上の複数の検出部の位置関係を示す説明図、（ｂ）は前記複数の検出部に対応する複数の表示部のペン本体上の位置関係を示す説明図である。
【図２３】第３実施形態に係るペン型入力装置においてペン入力色の設定を行う実施例１の設定を示す表である。
【図２４】第３実施形態に係るペン型入力装置においてペン入力の線幅の設定を行う実施例２の設定を示す表である。
【図２５】第４実施形態に係るペン型入力装置の構成を示すブロック図である。
【図２６】前記ペン型入力装置のペン本体のペン先部側を保持したときの接触センサによる検出状態の一例を示す説明図である。
【図２７】前記ペン本体のペン先部側を保持した状態で入力操作を行う一例を示す説明図である。
【図２８】前記ペン本体の後端部側を保持したときの接触センサによる検出状態の一例を示す説明図である。
【図２９】前記ペン本体の後端部側を保持した状態で入力操作を行う一例を示す説明図である。
【図３０】第５実施形態に係るペン型入力装置の構成を示すブロック図である。
【図３１】前記ペン型入力装置を構成するペン本体の構成の一例を示す説明図である。
【図３２】第５実施形態に係るペン型入力装置において線の太さの設定を行う実施例１の設定を示す表である。
【図３３】第５実施形態に係るペン型入力装置において消しゴム設定を行う実施例２の設定を示す表である。
【図３４】第５実施形態に係るペン型入力装置において消しゴム設定を行う実施例３の設定を示す表である。
【図３５】第５実施形態に係るペン型入力装置においてペンタイプ設定を行う実施例４の設定を示す表である。
【図３６】第５実施形態に係るペン型入力装置において線タイプ設定を行う実施例５の設定を示す表である。
【図３７】第５実施形態に係るペン型入力装置において図形入力設定を行う実施例６の設定を示す表である。
【図３８】第５実施形態に係るペン型入力装置において編集設定を行う実施例７の設定を示す表である。
【図３９】第５実施形態に係るペン型入力装置においてペン入力モード設定を行う実施例８の設定を示す表である。
【図４０】第６実施形態に係るペン型入力装置の構成を示すブロック図である。
【図４１】前記ペン型入力装置のペン本体を左手で保持したときの接触センサの検出位置の一例を示す説明図である。
【図４２】前記ペン本体を左手で保持したときの重力センサにより検出された重力方向を示す説明図である。
【図４３】前記ペン本体を右手で保持したときの接触センサの検出位置の一例を示す説明図である。
【図４４】前記ペン本体を右手で保持したときの重力センサにより検出された重力方向を示す説明図である。
【図４５】前記表示装置の表示画面にメニュー画面を表示したときの利用者とメニュー画面との位置関係を示す説明図である。
【図４６】第６実施形態に係るペン型入力装置によりメニュー画面を表示画面に表示する処理の一手順を示すフローチャートである。
【図４７】第７実施形態に係るペン型入力装置の構成を示すブロック図である。
【図４８】前記ペン型入力装置により軌跡入力位置を補正して移動した状態を示す説明図である。
【図４９】前記ペン型入力装置による表示画面への通常の入力時のペン先の位置と軌跡入力位置との位置関係を示す説明図である。
【発明を実施するための形態】
【００１５】
（第１実施形態）
以下、本発明の第１実施形態について図面を参照して説明する。
図１は発明を実施する形態の一例であって、本発明の第１実施形態に係るペン型入力装置の使用状態を示す説明図、図２は前記ペン型入力装置の全体構成を示す説明図、図３は前記ペン型入力装置の構成を示すブロック図、図４は前記ペン型入力装置の保持状態を示す説明図、図５（ａ)、(ｂ)は前記ペン型入力装置を３本の指で保持した状態を示す説明図、図６（ａ），（ｂ）は前記ペン型入力装置を指の基部で保持する状態を示す説明図である。
【００１６】
第１実施形態は、図１，図２に示すように、ペン型入力装置１であって、柱状のペン本体１１０と、接触センサ１２０として第１接触センサ１２１と第２接触センサ１２２とを備えて、第１接触センサ１２１および第２接触センサ１２２の検出結果に基づきペン本体１１０の保持位置を判定して、利用者Ｐのペン本体１１０の保持位置に応じてペン型入力装置１の機能を特定するようにしたことを特徴とするものである。
【００１７】
（ペン型入力装置の構成）
ペン型入力装置１は、表示画面へのタッチ操作により入力操作が可能な情報処理装置（図示省略）に用いる入力装置であって、複数の機能を有する。
【００１８】
ペン型入力装置１は、図３に示すように、主に、ペン本体１１０と、接触センサ１２０と、検出位置判定部１３０と、機能特定部１４０と、機能切替部１５０と、通信部１６０と、制御部１７０とを備えて構成されている。
【００１９】
ペン本体１１０は、図２に示すように、一端部を先細の円柱状を呈したペン先部１１１とし、他端部を後端部１１２として、ペン先部１１１から後端部１１２に亘り円柱状に形成されている。ペン本体１１０は、表面の一部の外周全域にわたり検出可能な接触センサ１２０を備えている。
なお、ペン本体１１０の形状は、円柱状に限られるものではなく、例えば、６角形状等の多角形状の柱状体であってもよい。
【００２０】
接触センサ１２０は、ペン先部１１１側に第１接触センサ１２１を備え、第１接触センサ１２１から後端部１１２側へ所定量を離間した位置に第２接触センサ１２２を備えている。第１接触センサ１２１と第２接触センサ１２２との間隔は、経験的に設定してもよく、間隔を調整可能に構成してもよい。
【００２１】
検出位置判定部１３０は、接触センサ１２０の検出結果に基づき利用者Ｐの持ち手によるペン本体１１０の保持位置を判定する。そして、検出位置判定部１３０では、ペン本体１１０の保持位置に対応して利用者Ｐのペン型入力装置１の保持状態を特定するようにされている。
【００２２】
機能特定部１４０は、検出位置判定部１３０の判定結果に基づき、ペン型入力装置１の有する複数の機能のうちからペン型入力装置１の保持位置に対応する機能を特定する。
機能特定部１４０では、検出位置判定部１３０の判定結果に基づき特定されたペン型入力装置１の保持状態（ペン型入力装置１の向き、回転角度、保持位置）に応じて操作時の機能を特定するようにされている。
【００２３】
機能切替部１５０は、機能特定部１４０により特定された機能を実行するよう機能を切り替える。
【００２４】
通信部１６０は、情報処理装置と通信接続を行なう。
制御部１７０は、ペン型入力装置１の行う処理の全体を制御するための機能部である。
【００２５】
（ペン型入力装置の保持位置の検出について）
次に、第１実施形態に係るペン型入力装置１の利用者Ｐにより保持されたときの接触センサ１２０による検出について説明する。
【００２６】
第１実施形態において、利用者Ｐがペン型入力装置１を保持したときは、第１接触センサ１２１は、図４に示すように、ペン先部１１１側を保持したことを検出する。また、第１接触センサ１２１は、図４，図５（ａ），（ｂ）に示すように、利用者Ｐの親指Ｆ１と人差し指Ｆ２と中指Ｆ３による保持位置Ｆ１１，Ｆ２１，Ｆ３１を検出する。
【００２７】
第２接触センサ１２２は、図４，図６（ａ），（ｂ）に示すように、利用者Ｐがペン型入力装置１を保持したときに、利用者Ｐの親指Ｆ１の付け根と人差し指Ｆ２の付け根との間の一部Ｆ４が接触する位置Ｆ４１を検出する。
【００２８】
第１接触センサ１２１および第２接触センサ１２２により、利用者Ｐがペン型入力装置１を保持したときの接触位置を検出した結果に基づいて、検出位置判定部１３０により、利用者Ｐによるペン型入力装置１の保持位置が判定される。そして、その保持位置に対応して予め設定されたペン型入力装置１の保持状態が特定される。
【００２９】
例えば、図５（ａ），（ｂ）に示すように、第１接触センサ１２１により、利用者Ｐの親指Ｆ１と人差し指Ｆ２と中指Ｆ３による保持位置Ｆ１１，Ｆ２１，Ｆ３１を検出し、図６（ａ），（ｂ）に示すように、第２接触センサ１２２により、利用者Ｐの親指Ｆ１の付け根と人差し指Ｆ２の付け根との間の一部Ｆ４が接触する位置Ｆ４１を検出したときは、検出位置判定部１３０は、利用者Ｐがペン先側を保持した状態であると判定する。
【００３０】
また、第２接触センサ１２２は、検出領域の構成を、利用者Ｐの親指Ｆ１の付け根と人差し指Ｆ２の付け根との間の一部Ｆ４が接触する位置に応じて、ペン型入力装置１の備える機能、例えば、ペン入力モード、消しゴムモード、色設定、線幅設定、ペンタイプ設定等の機能に対応するように構成してもよい。このように構成することで、ペン本体１１０を持ち手上で回転させるだけで、機能切り替えが可能になる。
【００３１】
また、第２接触センサ１２２は、利用者Ｐの親指Ｆ１の付け根と人差し指Ｆ２の付け根との間の一部Ｆ４が特定の検出領域に接触したとき、ペン型入力装置１により入力操作を行う表示画面上にメニューを表示させるようにしてもよい。このように構成することで、簡単にメニュー表示を行うことが可能になる。
【００３２】
（ペン型入力装置の機能設定の手順）
次に、第１実施形態に係るペン型入力装置１を使用する際に、ペン型入力装置１の機能を設定する処理の手順について、一例をフローチャートに沿って説明する。
図７は第１実施形態に係るペン型入力装置における機能設定を行う処理の一手順を示すフローチャートである。
【００３３】
図７に示すように、ペン型入力装置１を用いて入力操作を行う場合は、まず、利用者Ｐはペン型入力装置１を手に取り、使用する状態に保持する（Ｓ１０１）。このとき、ペン本体１１０の接触センサ１２０（第１接触センサ１２１、第２接触センサ１２２）により利用者Ｐの持ち手が接触する位置が検出される（Ｓ１０３）。
【００３４】
そして、接触センサ１２０の検出結果に基づき、検出位置判定部１３０により利用者Ｐによるペン型入力装置１の保持位置が判定される（Ｓ１０５）。そして、検出位置判定部１３０の判定結果に基づき、機能特定部１４０によりペン型入力装置１の保持位置に対応する機能が特定される（Ｓ１０７）。
【００３５】
そして、機能切替部１５０により特定された機能に切り替えられて、入力操作により実行される機能が設定される（Ｓ１０９）。
【００３６】
このようにして、利用者Ｐがペン型入力装置１を保持したときに、保持した状態に応じて入力操作により実行される機能を特定して設定することができる。
【００３７】
利用者Ｐがペン型入力装置１を保持したときに特定される機能の設定は、保持位置が変わる毎に特定される機能を変更するようにしてもよく、また、特定された設定が解除されるまで設定状態を維持するようにしてもよい。
【００３８】
以上のように構成したので、第１実施形態によれば、複数の機能を有するペン型入力装置１において、柱状のペン本体１１０と、接触センサ１２０と、検出位置判定部１３０と、機能特定部１４０と、を備え、接触センサ１２０により、ペン本体１１０の表面における利用者Ｐのペン本体１１０を保持する持ち手の親指Ｆ１と人差し指Ｆ２と中指Ｆ３とによる保持位置と、持ち手の親指Ｆ１の付け根と人差し指Ｆ２の付け根との間の一部Ｆ４が接触する位置とを検出することで、利用者Ｐのペン本体１１０の保持状態と保持位置とを正確に判定することができる。そして、その判定結果に基づき、ペン型入力装置１の保持位置に応じて当該ペン型入力装置１の機能を特定することができる。これにより、利用者Ｐがペン本体１１０を保持するだけで、保持位置に応じて入力操作に適した入力処理を特定することができるので、ペン型入力装置１の操作性の向上を図ることができる。
【００３９】
また、第１実施形態では、接触センサ１２０として、ペン本体１１０のペン先部１１１側に第１接触センサ１２１を設け、その後端部１１２側に第２接触センサ１２２を設けたことで、利用者Ｐの持ち手の指により保持する位置と、親指Ｆ１の付け根と人差し指Ｆ２の付け根との間でペン本体１１０を保持する位置とを検出することができるので、利用者がペン型入力装置１のペン先側を保持した状態であることを正確に判定することができる。
【００４０】
（第２実施形態）
次に、第２実施形態について図面を参照して説明する。
第２実施形態は、第１実施形態に係るペン型入力装置１の構成に加えて、検出部により特定された機能を明示する表示部を備えて、特定された機能が確認できることを特徴とするものである。第２実施形態では、ペン本体の外周上の特定位置に検出部を配置することを特徴としている。
【００４１】
図８は第２実施形態に係るペン型入力装置の構成を示すブロック図、図９は前記ペン型入力装置におけるペン本体上の検出部と表示部との位置関係の一例を示す説明図、図１０はペン本体上の前記表示部と接触センサとの位置関係の一例を示す拡大説明図、図１１（ａ）は複数の検出部のペン本体上の位置関係を示す説明図、（ｂ）は前記複数の検出部に対応する複数の表示部のペン本体上の位置関係を示す説明図である。
【００４２】
なお、説明の便宜上、第１実施形態と同一の機能を有する構成には、同一の番号を付して説明を省略する。
【００４３】
第２実施形態に係るペン型入力装置２０１は、図８，図９，図１０に示すように、接触センサ２２０の特定の検出位置に対応するペン本体２１０の表面の特定位置（特定の検出位置に対向する反対側の位置）に、特定の検出位置に対応して特定される機能（機能に関する情報）を明示する表示部２１３を備えることを特徴としている。
【００４４】
（ペン型入力装置の構成）
ペン型入力装置２０１は、図８に示すように、主に、ペン本体２１０と、接触センサ２２０と、検出位置判定部２３０と、機能特定部２４０と、機能切替部１５０と、通信部１６０と、制御部２７０とを備えて、さらに、表示部２１３を備えて構成されている。
【００４５】
ペン型入力装置２０１は、図９に示すように、ペン本体２１０上に接触センサ２２０として第１接触センサ２２１および第２接触センサ２２２を備えている。
【００４６】
第１接触センサ２２１は、第１実施形態に係るペン型入力装置１の第１接触センサ１２１と同様に機能するように構成されている。
【００４７】
第２接触センサ２２２は、ペン本体２１０の外周上に所定範囲で複数の検出部２２３が設けられている。第２実施形態では、複数の検出部２２３に対応して各々特定される機能が設定される。
【００４８】
ペン本体２１０の外周上には、複数の検出部２２３に対応した特定位置に、検出部２２３により特定された機能の内容を表示する表示部２１３が設けられている。
【００４９】
検出位置判定部２３０は、利用者Ｐがペン本体２１０を保持したときに、利用者Ｐの持ち手を検出した第２接触センサ２２２の検出部２２３に応じて、利用者Ｐが保持した位置を判定する。
【００５０】
機能特定部２４０は、検出位置判定部２３０の判定結果に基づき、検出した検出部２２３に対応して予め設定された機能を特定する。
【００５１】
例えば、図９，図１０に示すように、第２接触センサ２２２の検出部２２３は、検出されると特定の機能に設定されるようになっている。そして、ペン本体２１０の外周上で、検出部２２３と対向する位置には表示部２１３が設けられている。
【００５２】
表示部２１３は、検出部２２３に対応して設定された設定情報が印刷や刻印等で常に表示されたものであってもよく、また、検出部２２３が検出した状態のときに設定情報を表示するようにしたものであってもよい。ここでは、検出部２２３と対向する位置（反対側の位置）の表示部２１３には設定情報が表示される。
【００５３】
（ペン本体の検出部と表示部との位置関係）
第２実施形態では、図１１（ａ）に示すように、第２接触センサ２２２の検出部２２３として、ペン本体２１０の外周上に、４か所の検出部２２３ａ，２２３ｂ，２２３ｃ，２２３ｄが設けられている。そして、図１１（ｂ）に示すように、表示部２１３として、ペン本体２１０の外周上に、検出部２２３ａ，２２３ｂ，２２３ｃ，２２３ｄの各々に対応した特定位置に、表示部２１３ａ，２１３ｂ，２１３ｃ，２１３ｄが各々設けられている。
【００５４】
第２実施形態では、ペン本体２１０の外周上の４か所に設けられた検出部２２３ａ，２２３ｂ，２２３ｃ，２２３ｄにそれぞれ異なる機能が対応するように設定されている。機能の設定は、設定Ａ，Ｂ，Ｃ，Ｄの４設定が設けられている。
【００５５】
そして、表示部２１３ａ，２１３ｂ，２１３ｃ，２１３ｄには、検出部２２３ａ，２２３ｂ，２２３ｃ，２２３ｄにおいて利用者の接触を検出したときに、設定Ａ，Ｂ，Ｃ，Ｄの４設定に対応して、特定された設定情報がそれぞれ表示される。なお、設定数は４設定に限定されるものではない。
【００５６】
以下に、第２実施形態に係るペン型入力装置２０１において、第２接触センサ２２２の検出部２２３により特定される機能の設定について、例を挙げて説明する。
【００５７】
（実施例１）
実施例１では、第２接触センサ２２２により「線の太さ」を設定する。
図１２は第２実施形態に係るペン型入力装置において線の太さの設定を行う実施例１の設定を示す表である。
【００５８】
実施例１では、図１２に示すように、線の太さの設定を設定Ａ，Ｂ，Ｃ，Ｄの４設定として、それぞれの設定を第２接触センサ２２２の検出部２２３ａ，２２３ｂ，２２３ｃ，２２３ｄに対応して線の太さを設定する。
【００５９】
設定Ａは、検出部２２３ａにおいて利用者の接触を検出した場合に、極細線が設定される。このとき、表示部２１３ａには「極細」と表示される。
【００６０】
設定Ｂは、検出部２２３ｂにおいて利用者の接触を検出した場合に、通常の太さの線（予め設定された線の太さ）が設定される。このとき、表示部２１３ｂには「通常」（または「標準」）と表示される。
【００６１】
設定Ｃは、検出部２２３ｃにおいて利用者の接触を検出した場合に、太線が設定される。このとき、表示部２１３ａには「太」と表示される。
【００６２】
設定Ｄは、検出部２２３ｄにおいて利用者の接触を検出した場合に、極太線が設定される。このとき、表示部２１３ａには「極太」と表示される。
【００６３】
なお、表示部２１３ａ，２１３ｂ，２１３ｃ，２１３ｄに表示される線の太さに関する表示は、例えば、１，２，３，・・・等の数値化して表示してもよい。
【００６４】
（実施例２）
実施例２では、第２接触センサ２２２により「消しゴム設定（１）」を設定する。
図１３は第２実施形態に係るペン型入力装置において消しゴム設定を行う実施例２の設定を示す表である。
【００６５】
実施例２では、図１３に示すように、消しゴム設定（１）を設定Ａ，Ｂ，Ｃ，Ｄの４設定として、それぞれの設定を第２接触センサ２２２の検出部２２３ａ，２２３ｂ，２２３ｃ，２２３ｄに対応して消しゴムの消去幅（消す領域）とを設定する。
【００６６】
設定Ａは、検出部２２３ａにおいて利用者の接触を検出した場合に、消しゴムではない通常入力（ペン入力）が設定される。このとき、表示部２１３ａには「ペン入力」と表示される。
【００６７】
設定Ｂは、検出部２２３ｂにおいて利用者の接触を検出した場合に、細い消去幅の消しゴムが設定される。このとき、表示部２１３ｂには「消しゴム（細）」と表示される。
【００６８】
設定Ｃは、検出部２２３ｃにおいて利用者の接触を検出した場合に、普通の消去幅（予め設定された消去幅）の消しゴムが設定される。このとき、表示部２１３ａには「消しゴム（普通）」と表示される。
【００６９】
設定Ｄは、検出部２２３ｄにおいて利用者の接触を検出した場合に、太い消去幅の消しゴムが設定される。このとき、表示部２１３ａには「消しゴム（太）」と表示される。
【００７０】
なお、表示部２１３ａ，２１３ｂ，２１３ｃ，２１３ｄに表示される消しゴムの消去幅に関する表示は、例えば、１，２，３，・・・等の数値化して表示してもよい。
【００７１】
（実施例３）
実施例３では、第２接触センサ２２２により「消しゴム設定（２）」を設定する。
図１４は第２実施形態に係るペン型入力装置において消しゴム設定を行う実施例３の設定を示す表である。
【００７２】
実施例３では、図１４に示すように、消しゴム設定（２）を設定Ａ，Ｂ，Ｃ，Ｄの４設定として、それぞれの設定を第２接触センサ２２２の検出部２２３ａ，２２３ｂ，２２３ｃ，２２３ｄに対応して消しゴムによる消去方法（描画の消し方）とを設定する。
【００７３】
設定Ａは、検出部２２３ａにおいて利用者の接触を検出した場合に、消しゴムではない通常入力（ペン入力）が設定される。このとき、表示部２１３ａには「ペン入力」と表示される。
【００７４】
設定Ｂは、検出部２２３ｂにおいて利用者の接触を検出した場合に、接触した軌跡を消去する選択消去が設定される。このとき、表示部２１３ｂには「消しゴム（選択消去）」と表示される。
【００７５】
設定Ｃは、検出部２２３ｃにおいて利用者の接触を検出した場合に、通過した軌跡を消去する通常の消去（予め設定された消去幅で消去）が設定される。このとき、表示部２１３ａには「消しゴム（通常消去）」と表示される。
【００７６】
設定Ｄは、検出部２２３ｄにおいて利用者の接触を検出した場合に、通過した回数だけ薄くなっていくぼかし消去が設定される。このとき、表示部２１３ａには「消しゴム（ぼかし消去）」と表示される。
【００７７】
（実施例４）
実施例４では、第２接触センサ２２２により「ペンタイプ」を設定する。
図１５は第２実施形態に係るペン型入力装置においてペンタイプ設定を行う実施例４の設定を示す表である。
【００７８】
実施例４では、図１５に示すように、ペンタイプ設定を設定Ａ，Ｂ，Ｃ，Ｄの４設定として、それぞれの設定を第２接触センサ２２２の検出部２２３ａ，２２３ｂ，２２３ｃ，２２３ｄに対応してペンタイプを設定する。
【００７９】
設定Ａは、検出部２２３ａにおいて利用者の接触を検出した場合に、通常のペン入力が設定される。このとき、表示部２１３ａには「ペン入力」と表示される。
【００８０】
設定Ｂは、検出部２２３ｂにおいて利用者の接触を検出した場合に、毛筆が設定される。このとき、表示部２１３ｂには「毛筆」と表示される。
【００８１】
設定Ｃは、検出部２２３ｃにおいて利用者の接触を検出した場合に、マーカで塗りつぶす入力が設定される。このとき、表示部２１３ａには「マーカ（塗りつぶし）」と表示される。
【００８２】
設定Ｄは、検出部２２３ｄにおいて利用者の接触を検出した場合に、マーカでハイライト表示する入力が設定される。このとき、表示部２１３ａには「マーカ（ハイライト）」と表示される。
【００８３】
（実施例５）
実施例５では、第２接触センサ２２２により「線タイプ」を設定する。
図１６は第２実施形態に係るペン型入力装置において線タイプ設定を行う実施例５の設定を示す表である。
【００８４】
実施例５では、図１６に示すように、線タイプ設定を設定Ａ，Ｂ，Ｃ，Ｄの４設定として、それぞれの設定を第２接触センサ２２２の検出部２２３ａ，２２３ｂ，２２３ｃ，２２３ｄに対応して線タイプを設定する。
【００８５】
設定Ａは、検出部２２３ａにおいて利用者の接触を検出した場合に、通常の線入力が設定される。このとき、表示部２１３ａには「通常」と表示される。
【００８６】
設定Ｂは、検出部２２３ｂにおいて利用者の接触を検出した場合に、２重線による入力が設定される。このとき、表示部２１３ｂには「２重線」と表示される。
【００８７】
設定Ｃは、検出部２２３ｃにおいて利用者の接触を検出した場合に、波線による入力が設定される。このとき、表示部２１３ａには「波線」と表示される。
【００８８】
設定Ｄは、検出部２２３ｄにおいて利用者の接触を検出した場合に、点線による入力が設定される。このとき、表示部２１３ａには「点線」と表示される。
【００８９】
（実施例６）
実施例６は、第２接触センサ２２２により「図形入力」を設定する。
図１７は第２実施形態に係るペン型入力装置において図形入力設定を行う実施例６の設定を示す表である。
【００９０】
実施例６では、図１７に示すように、図形入力設定を設定Ａ，Ｂ，Ｃ，Ｄの４設定として、それぞれの設定を第２接触センサ２２２の検出部２２３ａ，２２３ｂ，２２３ｃ，２２３ｄに対応して図形の入力を設定する。
【００９１】
設定Ａは、検出部２２３ａにおいて利用者の接触を検出した場合に、通常のペンによる描画が設定される。このとき、表示部２１３ａには「ペン」と表示される。
【００９２】
設定Ｂは、検出部２２３ｂにおいて利用者の接触を検出した場合に、直線による描画が設定される。このとき、表示部２１３ｂには「直線」と表示される。
【００９３】
設定Ｃは、検出部２２３ｃにおいて利用者の接触を検出した場合に、四角形の画像（図形）による描画が設定される。このとき、表示部２１３ａには「四角」と表示される。
【００９４】
設定Ｄは、検出部２２３ｄにおいて利用者の接触を検出した場合に、円形の図形による描画が設定される。このとき、表示部２１３ａには「円」と表示される。
【００９５】
（実施例７）
実施例７では、第２接触センサ２２２により「編集」の機能を設定する。
図１８は第２実施形態に係るペン型入力装置において編集設定を行う実施例７の設定を示す表である。
【００９６】
実施例７では、図１８に示すように、編集設定を設定Ａ，Ｂ，Ｃ，Ｄの４設定として、それぞれの設定を第２接触センサ２２２の検出部２２３ａ，２２３ｂ，２２３ｃ，２２３ｄに対応して編集の機能を設定する。
【００９７】
設定Ａは、検出部２２３ａにおいて利用者の接触を検出した場合に、通常のペンにより編集する機能が設定される。このとき、表示部２１３ａには「ペン」と表示される。
【００９８】
設定Ｂは、検出部２２３ｂにおいて利用者の接触を検出した場合に、ページ送り、スクロール等による画面の移動を行う機能が設定される。このとき、表示部２１３ｂには「スワイプ」と表示される。
【００９９】
設定Ｃは、検出部２２３ｃにおいて利用者の接触を検出した場合に、タッチ操作による画像等の選択、画像等をタッチしたまま移動（ドラッグ操作）、タッチ操作を解除した位置で固定（ドロップ操作）等を行う機能が設定される。このとき、表示部２１３ａには「移動」と表示される。
【０１００】
設定Ｄは、検出部２２３ｄにおいて利用者の接触を検出した場合に、テキストボックスを作成する機能が設定される。このとき、表示部２１３ａには「テキストボックス」と表示される。
【０１０１】
（実施例８）
実施例８では、第２接触センサ２２２により「ペン入力モード」を設定する。
図１９は第２実施形態に係るペン型入力装置においてペン入力モード設定を行う実施例８の設定を示す表である。
【０１０２】
実施例８では、図１９に示すように、ペン入力モード設定を設定Ａ，Ｂ，Ｃ，Ｄの４設定として、それぞれの設定を第２接触センサ２２２の検出部２２３ａ，２２３ｂ，２２３ｃ，２２３ｄに対応してペン入力モードを設定する。
【０１０３】
設定Ａは、検出部２２３ａにおいて利用者の接触を検出した場合に、通常のペンにより入力を行う通常入力モードが設定される。このとき、表示部２１３ａには「ペン」と表示される。
【０１０４】
設定Ｂは、検出部２２３ｂにおいて利用者の接触を検出した場合に、描画を消去する消しゴムモードが設定される。このとき、表示部２１３ｂには「消しゴム」と表示される。
【０１０５】
設定Ｃは、検出部２２３ｃにおいて利用者の接触を検出した場合に、メニューを表示するメニュー表示モードが設定される。このとき、表示部２１３ａには「メニュー」と表示される。
【０１０６】
設定Ｄは、検出部２２３ｄにおいて利用者の接触を検出した場合に、ツールを選択するモードが設定される。このとき、表示部２１３ａには「選択ツール」と表示される。
【０１０７】
以上のように構成したので、第２実施形態によれば、ペン型入力装置２０１において、ペン本体２１０に設けられる第２接触センサ２２２に特定の位置で検出する複数の検出部２２３を設け、複数の検出部２２３にそれぞれ対応するペン本体２１０の表面の特定位置（反対側）に、検出部２２３に対応して特定される機能を明示する表示部２１３をそれぞれ備えることで、利用者Ｐがペン本体２１０を保持した状態で、接触する検出部２２３を変更するだけで機能を変更することができ、さらに、その機能の変更内容を手元の表示部２１３により容易に確認することができる。
【０１０８】
また、表示部２１３の構成として、検出部２２３ａ，２２３ｂ，２２３ｃ，２２３ｄにおいて利用者Ｐの接触が検出されたときに、表示部２１３ａ，２１３ｂ，２１３ｃ，２１３ｄを、ペン本体２１０の親指Ｆ１の付け根と人差し指Ｆ２の付け根との間に位置する側面と反対側の領域の、視認できる位置に設けることで、入力軌跡が表示される表示画面の所定位置を確認することなく、手元の表示部２１３により設定された機能を容易に確認することができる。
【０１０９】
（第３実施形態）
次に、第３実施形態について図面を参照して説明する。
第３実施形態は、第１実施形態に係るペン型入力装置１の構成に加えて、第２実施形態と同様に、特定された機能を明示する表示部を備えて、特定された機能が確認できることを特徴とするものである。第３実施形態では、ペン本体の外周上の予め設定した所定角度の位置に検出部を配置することを特徴としている。
【０１１０】
図２０は第３実施形態に係るペン型入力装置の構成を示すブロック図、図２１は前記ペン型入力装置におけるペン本体上の検出部と表示部との位置関係の一例を示す説明図、図２２の（ａ）は第３実施形態に係るペン型入力装置におけるペン本体上の複数の検出部の位置関係を示す説明図、（ｂ）は前記複数の検出部に対応する複数の表示部のペン本体上の位置関係を示す説明図である。
【０１１１】
なお、説明の便宜上、第１実施形態または第２実施形態と同一の機能を有する構成には、同一の番号を付して説明を省略する。
【０１１２】
第３実施形態に係るペン型入力装置３０１は、図２２（ａ），（ｂ）に示すように、ペン型入力装置１の構成に加えて、接触センサ３２０の特定の検出位置に対応するペン本体３１０の表面の特定位置（特定の検出位置に対向する反対側の位置）に、検出位置に対応して特定される機能（機能に関する情報）を明示する表示部３１３を備えることを特徴としている。
【０１１３】
（ペン型入力装置の構成）
ペン型入力装置３０１は、第２実施形態のペン型入力装置２０１と同じ様に構成され、図２０に示すように、主に、ペン本体３１０と、接触センサ３２０と、検出位置判定部３３０と、機能特定部３４０と、機能切替部１５０と、通信部１６０と、制御部３７０と、表示部３１３を備えて構成されている。
【０１１４】
ペン型入力装置３０１は、図２１に示すように、ペン本体３１０上に接触センサ３２０として第１接触センサ３２１および第２接触センサ３２２を備えている。
【０１１５】
第１接触センサ３２１は、第２実施形態に係るペン型入力装置２０１の第１接触センサ２２１と同様に機能するように構成されている。
【０１１６】
第２接触センサ３２２は、ペン本体３１０の外周上に所定範囲で複数の検出部３２３が設けられている。第３実施形態では、複数の検出部３２３に対応して各々特定される機能が設定される。
【０１１７】
ペン本体３１０の外周上には、複数の検出部３２３に対応した特定位置に、検出部３２３により特定された機能の内容を表示する表示部３１３が設けられている。
【０１１８】
検出位置判定部３３０は、利用者Ｐがペン本体３１０を保持したときに、利用者Ｐの持ち手を検出した第２接触センサ３２２の検出部３２３に応じて、利用者Ｐが保持した位置を判定する。
【０１１９】
機能特定部３４０は、検出位置判定部３３０の判定結果に基づき、検出した検出部３２３に対応して予め設定された機能を特定する。
【０１２０】
第３実施形態に係るペン型入力装置３０１の構成は、第２実施形態に係るペン型入力装置２０１と同様な構成を備えるものとして、詳しくは第２実施形態の説明に準ずるものとする。
【０１２１】
（ペン本体の検出部と表示部との位置関係）
第３実施形態では、図２２（ａ）に示すように、第２接触センサ３２２の検出部３２３として、ペン本体３１０の外周上の予め設定された所定角度の位置に、６か所の検出部３２３ａ，３２３ｂ，３２３ｃ，３２３ｄ，３２３ｅ，３２３ｆが設けられている。そして、図２２（ｂ）に示すように、表示部３１３として、検出部３２３ａ，３２３ｂ，３２３ｃ，３２３ｄ，３２３ｅ，３２３ｆの各々に対応した特定位置に、ペン本体３１０の外周上に、表示部３１３ａ，３１３ｂ，３１３ｃ，３１３ｄ，３１３ｅ，３１３ｆが各々設けられている。
【０１２２】
第３実施形態では、図２２（ａ）に示すように、ペン本体３１０の外周上に、検出部３２３ａの位置を基準角度０°（３６０°）として、検出部３２３ｂが設定角度６０°、検出部３２３ｃが設定角度１２０°、検出部３２３ｄが設定角度１８０°、検出部３２３ｅが設定角度２４０°、検出部３２３ｆが設定角度３００°の位置にそれぞれ設けられている。
そして、検出部３２３ａ，３２３ｂ，３２３ｃ，３２３ｄ，３２３ｅ，３２３ｆにそれぞれ異なる機能が対応するように設定されている。機能の設定は、設定Ａ，Ｂ，Ｃ，Ｄ，Ｅ，Ｆの６設定が設けられている。
【０１２３】
そして、表示部３１３ａ，３１３ｂ，３１３ｃ，３１３ｄ，３１３ｅ，３１３ｆには、検出部３２３ａ，３２３ｂ，３２３ｃ，３２３ｄ，３２３ｅ，３２３ｆにおいて利用者の接触を検出したときに、設定Ａ，Ｂ，Ｃ，Ｄ，Ｅ，Ｆの６設定に対応して、特定された設定情報がそれぞれ表示される。なお、設定数は６設定に限定されるものではない。
【０１２４】
以下に、第３実施形態に係るペン型入力装置３０１において、第２接触センサ３２２の検出部３２３により特定される機能の設定について、例を挙げて説明する。
【０１２５】
（実施例１）
実施例１では、第２接触センサ３２２により「ペン入力色」を設定する。
図２３は第３実施形態に係るペン型入力装置においてペン入力色の設定を行う実施例１の設定を示す表である。
【０１２６】
実施例１では、図２３に示すように、ペン入力色の設定を設定Ａ，Ｂ，Ｃ，Ｄ，Ｅ，Ｆの６設定として、それぞれの設定を第２接触センサ３２２の検出部３２３ａ，３２３ｂ，３２３ｃ，３２３ｄ，３２３ｅ，３２３ｆに対応してペン入力色を設定する。
【０１２７】
設定Ａは、基準角度０°の検出部３２３ａにおいて利用者の接触を検出した場合に、赤色が設定される。このとき、表示部３１３ａには「赤」と表示される。
【０１２８】
設定Ｂは、設定角度６０°の検出部３２３ｂにおいて利用者の接触を検出した場合に、黄色が設定される。このとき、表示部３１３ｂには「黄」と表示される。
【０１２９】
設定Ｃは、設定角度１２０°の検出部３２３ｃにおいて利用者の接触を検出した場合に、緑色が設定される。このとき、表示部３１３ｃには「緑」と表示される。
【０１３０】
設定Ｄは、設定角度１８０°の検出部３２３ｄにおいて利用者の接触を検出した場合に、シアン色が設定される。このとき、表示部３１３ｄには「シアン」と表示される。
【０１３１】
設定Ｅは、設定角度２４０°の検出部３２３ｅにおいて利用者の接触を検出した場合に、青色が設定される。このとき、表示部３１３ｅには「青」と表示される。
【０１３２】
設定Ｆは、設定角度３００°の検出部３２３ｆにおいて利用者の接触を検出した場合に、マゼンタ色が設定される。このとき、表示部３１３ｆには「マゼンタ」と表示される。
【０１３３】
これにより、ペン入力色が設定された場合に、設定された色が何色であるかを表示画面のメニュー等により確認する必要が無く、ペン型入力装置３０１のペン本体３１０の表示部３１３を見るだけで容易に確認することができる。
【０１３４】
なお、表示部３１３ａから表示３１３ｂへ、表示部３１３ｂから表示部３１３ｃへ、・・・等、表示される色の切り替えは、利用者の接触を検出した検出部３２３が切り替わるとともに連続的に切り替わるようにしてもよい。
【０１３５】
また、実施例１では、ペン入力色の色相を切り替えるようにしているが、ペン入力色の明るさ（濃度の違い）や鮮やかさを変化するようにしてもよい。
【０１３６】
（実施例２）
実施例２では、第２接触センサ３２２によりペン入力の「線幅」を設定する。
図２４は第３実施形態に係るペン型入力装置においてペン入力の線幅の設定を行う実施例２の設定を示す表である。
【０１３７】
実施例２では、図２４に示すように、ペン入力の線幅を設定Ａ，Ｂ，Ｃ，Ｄの４設定として、それぞれの設定を第２接触センサ３２２の検出部３２３ａ，３２３ｂ，３２３ｃ，３２３ｄに対応してペン入力の線幅を設定する。
【０１３８】
設定Ａは、基準角度０°の検出部３２３ａにおいて利用者の接触を検出した場合に、標準の線幅が設定される。このとき、表示部３１３ａには「標準」と表示される。
【０１３９】
設定Ｂは、設定角度９０°の検出部３２３ｂにおいて利用者の接触を検出した場合に、太い線幅が設定される。このとき、表示部３１３ｂには「太」と表示される。
【０１４０】
設定Ｃは、設定角度１８０°の検出部３２３ｃにおいて利用者の接触を検出した場合に、標準の線幅が設定される。このとき、表示部３１３ｃには「標準」と表示される。
【０１４１】
設定Ｄは、設定角度２７０°の検出部３２３ｄにおいて利用者の接触を検出した場合に、細い線幅が設定される。このとき、表示部３１３ｄには「細」と表示される。
【０１４２】
なお、ペン入力の線幅の設定は、上述した線幅に限定されるものではない。
【０１４３】
以上のように構成したので、第３実施形態によれば、ペン型入力装置３０１において、ペン本体３１０に設けられる第２接触センサ３２２に、予め設定された角度の位置で検出する複数の検出部３２３を設け、複数の検出部３２３にそれぞれ対応するペン本体３１０の表面の特定位置（反対側）に、検出部３２３に対応して特定される機能を明示する表示部３１３をそれぞれ備えることで、利用者Ｐがペン本体３１０を保持した状態で、接触する検出部３２３を変更することにより検出部３２３に対応する機能を変更することができ、さらに、その機能の変更内容を手元の表示部３１３により容易に確認することができる。
【０１４４】
また、表示部３１３の構成として、検出部３２３ａ，３２３ｂ，３２３ｃ，３２３ｄにおいて利用者Ｐの接触が検出されたときに、表示部３１３ａ，３１３ｂ，３１３ｃ，３１３ｄ等を、ペン本体３１０の親指Ｆ１の付け根と人差し指Ｆ２の付け根との間に位置する側面と反対側の領域の利用者が視認できる位置に設けることで、入力軌跡が表示される表示画面の所定位置を確認することなく、手元の表示部３１３により設定された機能を容易に確認することができる。
【０１４５】
（第４実施形態）
次に、第４実施形態について図面を参照して説明する。
第４実施形態は、第１実施形態に係るペン型入力装置１の構成に加えて、ペン本体を保持する持ち手のペン本体の長手方向に沿った保持位置に応じて機能を設定することを特徴とするものである。
【０１４６】
図２５は第４実施形態に係るペン型入力装置の構成を示すブロック図、図２６は前記ペン型入力装置のペン本体のペン先部側を保持したときの接触センサによる検出状態の一例を示す説明図、図２７は前記ペン本体のペン先部側を保持した状態で入力操作を行う一例を示す説明図、図２８は前記ペン本体の後端部側を保持したときの接触センサによる検出状態の一例を示す説明図、図２９は前記ペン本体の後端部側を保持した状態で入力操作を行う一例を示す説明図である。
【０１４７】
なお、説明の便宜上、第１実施形態と同一の機能を有する構成には、同一の番号を付して説明を省略する。
【０１４８】
第４実施形態に係るペン型入力装置４０１は、図２５に示すように、ペン型入力装置１の構成に加えて、検出位置判定部４３０の機能として、接触センサ４２０の検出結果に基づき、ペン本体４１０を保持する持ち手のペン本体４１０の長手方向に沿った保持位置を判定することを特徴とするものである。
【０１４９】
（ペン型入力装置の構成）
ペン型入力装置４０１は、主に、ペン本体４１０と、接触センサ４２０と、検出位置判定部４３０と、機能特定部４４０と、機能切替部１５０と、通信部１６０と、制御部１７０とを備えて構成されている。
【０１５０】
ペン型入力装置４０１は、図２６，図２８に示すように、ペン本体４１０上にペン本体４１０の長手方向に沿って３箇所以上の接触センサ４２０を備えている。第４実施形態では、接触センサ４２０として、接触センサ４２０ａ，４２０ｂ，４２０ｃ，４２０ｄが配置されている。
【０１５１】
検出位置判定部４３０は、利用者Ｐがペン本体４１０を保持したときに、利用者Ｐの持ち手を検出した接触センサ４２０の位置に応じて、利用者Ｐが保持した位置を判定する。
【０１５２】
具体的には、図２６に示すように、利用者Ｐがペン本体４１０のペン先部４１１側を保持したときは、ペン先部４１１側の接触センサ４２０ａ，４２０ｂが利用者Ｐの持ち手を検出する。検出位置判定部４３０は、その検出結果に基づき、利用者Ｐがペン本体４１０のペン先部４１１側を保持したことを判定する。
【０１５３】
一方、図２８に示すように、利用者Ｐがペン本体４１０の後端部４１２側を保持したときは、後端部４１２側の接触センサ４２０ｃ，４２０ｄが利用者Ｐの持ち手を検出する。検出位置判定部４３０は、その検出結果に基づき、利用者Ｐがペン本体４１０の後端部４１２側を保持したことを判定する。
【０１５４】
機能特定部４４０は、検出位置判定部４３０の判定結果に基づき、ペン型入力装置４０１の有する複数の機能のうちからペン型入力装置１の保持位置に対応する機能を特定する。
【０１５５】
第４実施形態では、機能特定部４４０は、検出位置判定部４３０の判定結果に基づき、利用者Ｐの持ち手の位置に応じて適した機能を特定することを特徴としている。
【０１５６】
例えば、図２６に示すように、ペン本体４１０の保持位置がペン先部４１１側のペン先に近いと判定されたときは、軌跡を細く入力する機能を設定する。具体的には、図２７に示すように、細線Ｌ１を描く緻密な位置精度を要する細線機能は、ペン先部４１１のペン先側を短く持ったとき対応して設定する。
【０１５７】
一方、図２８に示すように、ペン本体４１０の保持位置が後端部４１２側のペン先から遠いと判定されたときは、軌跡を太く入力する機能を設定する。具体的には、図２９に示すように、太線Ｌ２を描く位置精度が大まかになる太線機能やマーカ機能は、ペン先部４１１のペン先側を長めに持ったときに対応して設定する。
【０１５８】
以上のように構成したので、第４実施形態によれば、ペン型入力装置４０１において、検出位置判定部４３０の機能として、３箇所以上の接触センサ４２０の検出結果に基づき、ペン本体４１０を保持する持ち手のペン本体４１０の長手方向に沿った保持位置を判定することで、機能特定部３４０により、利用者Ｐの持ち手の保持位置に応じて適した機能を特定することができる。
【０１５９】
なお、第４実施形態では、ペン本体４１０の長手方向に沿った保持位置を、ペン先側と後端部側の２位置によって、細線Ｌ１と太線Ｌ２との２つの設定を切り替えるようにしているが、設定数はこれに限定されるものではない。例えば、保持位置に応じて３つ以上の設定を切り替えるようにして、例えば、ペン先側、中央部側、後端部側等の保持位置を判定するようにしてもよい。
【０１６０】
（第５実施形態）
次に、第５実施形態について図面を参照して説明する。
第５実施形態は、第４実施形態と同様に、ペン本体を保持する持ち手のペン本体の長手方向に沿った保持位置に応じて機能を設定することを特徴とするものである。第５実施形態では、ペン本体の長手方向に沿って複数の接触センサを連設して配置することを特徴としている。
【０１６１】
図３０は第５実施形態に係るペン型入力装置の構成を示すブロック図、図３１は前記ペン型入力装置を構成するペン本体の構成の一例を示す説明図である。
【０１６２】
なお、説明の便宜上、第１実施形態と同一の機能を有する構成には、同一の番号を付して説明を省略する。
【０１６３】
第５実施形態に係るペン型入力装置５０１は、図３０に示すように、ペン型入力装置４０１のペン本体４１０の構成に換えて、ペン本体５１０の長手方向に沿って複数の接触センサ５２０を連設して配置することを特徴とするものである。
【０１６４】
（ペン型入力装置の構成）
ペン型入力装置５０１は、主に、ペン本体５１０と、接触センサ５２０と、検出位置判定部５３０と、機能特定部５４０と、機能切替部１５０と、通信部１６０と、制御部１７０とを備えて構成されている。
【０１６５】
ペン型入力装置５０１は、図３１に示すように、ペン本体５１０上にペン本体５１０の長手方向に沿った中央部付近に、接触センサ５２０ａ，５２０ｂ，５２０ｃ，５２０ｄ，５２０ｅを連設して配置している。
【０１６６】
検出位置判定部５３０は、利用者Ｐがペン本体５１０を保持したときに、利用者Ｐの持ち手を検出した接触センサ５２０の位置に応じて、利用者Ｐが保持した位置を判定する。
【０１６７】
機能特定部５４０は、検出位置判定部５３０の判定結果に基づき、ペン型入力装置５０１の有する複数の機能のうちからペン型入力装置１の保持位置に対応する機能を特定する。
【０１６８】
第５実施形態では、複数の接触センサ５２０ａ，５２０ｂ，５２０ｃ，５２０ｄ，５２０ｅに対応して、各々特定の機能を設定するようにされている。
【０１６９】
利用者Ｐがペン本体５１０を保持したときに、ペン本体５１０の保持位置によって接触センサ５２０による検出状態が特定される。検出位置判定部５３０による判定結果に基づいて、接触センサ５２０が特定される。そして、機能特定部５４０により、特定された接触センサ５２０に関連付けされた機能が特定されて、特定の機能設定が行われる。
【０１７０】
第５実施形態では、ペン本体５１０の長手方向に沿って接触センサ５２０ａ，５２０ｂ，５２０ｃ，５２０ｄ，５２０ｅにそれぞれ異なる機能が対応するように、設定Ａ，Ｂ，Ｃ，Ｄ，Ｅなどの設定が設けられている。
【０１７１】
以下に、第５実施形態に係るペン型入力装置５０１において、接触センサ５２０により特定される機能の設定について、例を挙げて説明する。
【０１７２】
（実施例１）
実施例１では、接触センサ５２０により「線の太さ」を設定する。
図３２は第５実施形態に係るペン型入力装置において線の太さの設定を行う実施例１の設定を示す表である。
【０１７３】
実施例１では、図３２に示すように、線の太さの設定を設定Ａ，Ｂ，Ｃ，Ｄ，Ｅの５設定として、それぞれの設定を接触センサ５２０ａ，５２０ｂ，５２０ｃ，５２０ｄ，５２０ｅに対応して線の太さを設定する。
【０１７４】
設定Ａは、接触センサ５２０ａにおいて利用者の接触を検出した場合に、極細線が設定される。
【０１７５】
設定Ｂは、接触センサ５２０ｂにおいて利用者の接触を検出した場合に、細線が設定される。
【０１７６】
設定Ｃは、接触センサ５２０ｃにおいて利用者の接触を検出した場合に、通常の太さの線（予め設定された線の太さ）が設定される。
【０１７７】
設定Ｄは、接触センサ５２０ｄにおいて利用者の接触を検出した場合に、太線が設定される。
【０１７８】
設定Ｅは、接触センサ５２０ｅにおいて利用者の接触を検出した場合に、極太線が設定される。
【０１７９】
（実施例２）
実施例２では、接触サンサ５２０により「消しゴム設定（１）」を設定する。
図３３は第５実施形態に係るペン型入力装置において消しゴム設定を行う実施例２の設定を示す表である。
【０１８０】
実施例２では、図３３に示すように、消しゴム設定（１）を設定Ａ，Ｂ，Ｃ，Ｄ，Ｅの５設定として、それぞれの設定を接触センサ５２０ａ，５２０ｂ，５２０ｃ，５２０ｄ，５２０ｅに対応して消しゴムの消去幅（消す領域）とを設定する。
【０１８１】
設定Ａは、接触センサ５２０ａにおいて利用者の接触を検出した場合に、消しゴムではない通常入力（ペン入力）が設定される。
【０１８２】
設定Ｂは、接触センサ５２０ｂにおいて利用者の接触を検出した場合に、細い消去幅の消しゴムが設定される。
【０１８３】
設定Ｃは、接触センサ５２０ｃにおいて利用者の接触を検出した場合に、普通の消去幅（予め設定された消去幅）の消しゴムが設定される。
【０１８４】
設定Ｄは、接触センサ５２０ｄにおいて利用者の接触を検出した場合に、太い消去幅の消しゴムが設定される。
【０１８５】
設定Ｅは、接触センサ５２０ｅにおいて利用者の接触を検出した場合に、極太の消去幅の消しゴムが設定される。
【０１８６】
実施例２では、ペンの軌跡や消しゴムの効果（処理）を示す範囲が小さい（線が細い）ほど、位置精度の点で正確さが要求されるので、ペン先に近い保持位置としている。また、ペンの軌跡や消しゴムの効果（処理）を示す範囲が大きい（線が太い）ほど、位置精度の点で正確さを必要としないため、ペン先から遠い保持位置としている。
【０１８７】
（実施例３）
実施例３では、接触センサ５２０により「消しゴム設定（２）」を設定する。
図３４は第５実施形態に係るペン型入力装置において消しゴム設定を行う実施例３の設定を示す表である。
【０１８８】
実施例３では、図３４に示すように、消しゴム設定（２）を設定Ａ，Ｂ，Ｃ，Ｄ，Ｅの５設定として、それぞれの設定を接触センサ５２０ａ，５２０ｂ，５２０ｃ，５２０ｄ，５２０ｅに対応して消しゴムによる消去方法（描画の消し方）とを設定する。
【０１８９】
設定Ａは、接触センサ５２０ａにおいて利用者の接触を検出した場合に、消しゴムではない通常入力（ペン入力）が設定される。
【０１９０】
設定Ｂは、接触センサ５２０ｂにおいて利用者の接触を検出した場合に、接触した軌跡を消去する選択消去が設定される。
【０１９１】
設定Ｃは、接触センサ５２０ｃにおいて利用者の接触を検出した場合に、通過した軌跡を消去する通常の消去（予め設定された消去幅で消去）が設定される。
【０１９２】
設定Ｄは、接触センサ５２０ｄにおいて利用者の接触を検出した場合に、通過した回数だけ薄くなっていくぼかし消去が設定される。
【０１９３】
実施例３では、接触した軌跡を選択消去するには、位置精度の点で正確さが要求されるので、接触センサ５２０ａによる通常ペンに次いで、ペン先に近い保持位置となる接触センサ５２０ｂの位置としている。また、おおよそ通過した領域を消すには、接触センサ５２０ａ，５２０ｂの位置に次いでペン先に近い保持位置となる接触センサ５２０ｃの位置としている。
【０１９４】
また、黒塗りは、文字列等を大きめに塗りつぶす処理であって、位置精度の正確さは接触センサ５２０ａ，５２０ｂ，５２０ｃの位置よりも緩くなるため、接触センサ５２０ａ，５２０ｂ，５２０ｃの位置に次いでペン先に近い接触センサ５２０ｄの位置としている。
【０１９５】
また、ぼかして消去することは、位置精度の正確さを必要としないため、最もペン先から遠い接触センサ５２０ｅの位置としている。
【０１９６】
（実施例４）
実施例４は、接触センサ５２０により「ペンタイプ」を設定する。
図３５は第５実施形態に係るペン型入力装置においてペンタイプ設定を行う実施例４の設定を示す表である。
【０１９７】
実施例４では、図３５に示すように、ペンタイプ設定を設定Ａ，Ｂ，Ｃ，Ｄの４設定として、それぞれの設定を接触センサ５２０ａ，５２０ｂ，５２０ｃ，５２０ｄに対応してペンタイプを設定する。
【０１９８】
設定Ａは、接触センサ５２０ａにおいて利用者の接触を検出した場合に、硬筆のペン入力が設定される。
【０１９９】
設定Ｂは、接触センサ５２０ｂにおいて利用者の接触を検出した場合に、通常のペン入力が設定される。
【０２００】
設定Ｃは、接触センサ５２０ｃにおいて利用者の接触を検出した場合に、マーカでハイライト表示する入力が設定される。
【０２０１】
設定Ｄは、接触センサ５２０ｄにおいて利用者の接触を検出した場合に、ブラシ処理による入力が設定される。
【０２０２】
（実施例５）
実施例５では、接触センサ５２０により「線タイプ」を設定する。
図３６は第５実施形態に係るペン型入力装置において線タイプ設定を行う実施例５の設定を示す表である。
【０２０３】
実施例５では、図３６に示すように、線タイプ設定を設定Ａ，Ｂ，Ｃ，Ｄの４設定として、それぞれの設定を接触センサ５２０ａ，５２０ｂ，５２０ｃ，５２０ｄに対応して線タイプを設定する。
【０２０４】
設定Ａは、接触センサ５２０ａにおいて利用者の接触を検出した場合に、通常の線入力が設定される。
【０２０５】
設定Ｂは、接触センサ５２０ｂにおいて利用者の接触を検出した場合に、破線による入力が設定される。
【０２０６】
設定Ｃは、接触センサ５２０ｃにおいて利用者の接触を検出した場合に、２重線による入力が設定される。
【０２０７】
設定Ｄは、接触センサ５２０ｄにおいて利用者の接触を検出した場合に、波線による入力が設定される。
【０２０８】
線タイプ設定では、２重線は太くなり、破線は更に太くなることから、実施例５では、通常線や破線の方が位置精度を要求されるため、ペン先に近い接触センサ５２０ａ，５２０ｂに設定されている。
【０２０９】
（実施例６）
実施例６では、接触センサ５２０により「図形入力」を設定する。
図３７は第５実施形態に係るペン型入力装置において図形入力設定を行う実施例６の設定を示す表である。
【０２１０】
実施例６では、図３７に示すように、図形入力設定を設定Ａ，Ｂ，Ｃ，Ｄ，Ｅの５設定として、それぞれの設定を接触センサ５２０ａ，５２０ｂ，５２０ｃ，５２０ｄ，５２０ｅに対応して図形の入力を設定する。
【０２１１】
設定Ａは、接触センサ５２０ａにおいて利用者の接触を検出した場合に、通常のペンによる描画が設定される。
【０２１２】
設定Ｂは、接触センサ５２０ｂにおいて利用者の接触を検出した場合に、直線による描画が設定される。
【０２１３】
設定Ｃは、接触センサ５２０ｃにおいて利用者の接触を検出した場合に、三角形の画像（図形）による描画が設定される。
【０２１４】
設定Ｄは、接触センサ５２０ｄにおいて利用者の接触を検出した場合に、四角形の画像（図形）による描画が設定される。
【０２１５】
設定Ｅは、接触センサ５２０ｅにおいて利用者の接触を検出した場合に、円形の画像による描画が設定される。
【０２１６】
図形入力設定においては、頂点の数が少ないほど位置の正確さが要求される。したがって、実施例６では、ペン先に近い接触センサ５２０ｃを三角形の画像（図形）の設定として、これより遠い接触センサ５２０ｄを四角形の画像（図形）の設定としている。
【０２１７】
（実施例７）
実施例７は、接触センサ５２０により「編集」の機能を設定する。
図３８は第５実施形態に係るペン型入力装置において編集設定を行う実施例７の設定を示す表である。
【０２１８】
実施例７では、図３８に示すように、編集設定を設定Ａ，Ｂ，Ｃ，Ｄの４設定として、それぞれの設定を接触センサ５２０ａ，５２０ｂ，５２０ｃ，５２０ｄに対応して編集の機能を設定する。
【０２１９】
設定Ａは、接触センサ５２０ａにおいて利用者の接触を検出した場合に、通常のペンにより編集する機能が設定される。
【０２２０】
設定Ｂは、接触センサ５２０ｂにおいて利用者の接触を検出した場合に、ページ送り、スクロール等を行うスワイプ処理を行う機能が設定される。
【０２２１】
設定Ｃは、接触センサ５２０ｃにおいて利用者の接触を検出した場合に、ファイル等を保存する機能が設定される。
【０２２２】
設定Ｄは、接触センサ５２０ｄにおいて利用者の接触を検出した場合に、ファイル等を新規作成する機能が設定される。
【０２２３】
実施例７では、位置の正確さと無関係なものについては、良く使用する機能が通常入力に近い保持位置となるように接触センサ５２０の機能が設定されている。
【０２２４】
（実施例８）
実施例８では、接触センサ５２０により「ペン入力モード」を設定する。
図３９は第５実施形態に係るペン型入力装置においてペン入力モード設定を行う実施例８の設定を示す表である。
【０２２５】
実施例８では、図３９に示すように、ペン入力モード設定を設定Ａ，Ｂ，Ｃ，Ｄの４設定として、それぞれの設定を接触センサ５２０ａ，５２０ｂ，５２０ｃ，５２０ｄに対応して、ペン入力モードを設定する。
【０２２６】
設定Ａは、接触センサ５２０ａにおいて利用者の接触を検出した場合に、通常のペンにより入力を行う通常入力モードが設定される。
【０２２７】
設定Ｂは、接触センサ５２０ｂにおいて利用者の接触を検出した場合に、描画を消去する消しゴムモードが設定される。
【０２２８】
設定Ｃは、接触センサ５２０ｃにおいて利用者の接触を検出した場合に、ツールを選択するモードが設定される。
【０２２９】
設定Ｄは、接触センサ５２０ｄにおいて利用者の接触を検出した場合に、メニューを表示するメニュー表示モードが設定される。
【０２３０】
以上のように構成したので、第５実施形態によれば、ペン型入力装置５０１において、ペン本体５１０の長手方向に沿って複数の接触センサ５２０を連設して配置し、接触センサ５２０に対応して特定される機能を設定することで、利用者Ｐの持ち手の保持位置に応じて機能を設定することができる。
【０２３１】
（第６実施形態）
次に、第６実施形態について図面を参照して説明する。
図４０は第６実施形態に係るペン型入力装置の構成を示すブロック図、図４１は前記ペン型入力装置のペン本体を左手で保持したときの接触センサの検出位置の一例を示す説明図、図４２は前記ペン本体を左手で保持したときの重力センサにより検出された重力方向を示す説明図、図４３は前記ペン本体を右手で保持したときの接触センサの検出位置の一例を示す説明図、図４４は前記ペン本体を右手で保持したときの重力センサにより検出された重力方向を示す説明図、図４５は表示装置の表示画面にメニュー画面を表示したときの利用者とメニュー画面との位置関係を示す説明図である。
【０２３２】
なお、説明の便宜上、第１実施形態と同一の機能を有する構成には、同一の番号を付して説明を省略する。
【０２３３】
第６実施形態に係るペン型入力装置６０１は、図４０に示すように、ペン型入力装置１の構成に加えて、重力センサ６２０と、重力センサ６２０による検出結果に基づきペン本体６１０を保持する持ち手を判定する持ち手判定部６８０と、を備えることを特徴とするものである。
【０２３４】
（ペン型入力装置の構成）
ペン型入力装置６０１は、主に、ペン本体６１０と、接触センサ１２０と、検出位置判定部１３０と、機能特定部１４０と、機能切替部１５０と、通信部１６０と、制御部６７０とを備え、さらに、重力センサ６２０と、持ち手判定部６８０とを備えて構成されている。
【０２３５】
ペン本体６１０には、重力センサ６２０が設けられている。
持ち手判定部６８０は、重力センサ６２０で検出される下方向の向きと、接触センサ１２０により検出される持ち手の親指Ｆ１の付け根と人差し指Ｆ２の付け根との間に接触する位置との関係から、利用者Ｐの持ち手が右手であるか左手であるかを判定する。
【０２３６】
利用者Ｐがペン型入力装置６０１を左手で保持している場合は、図４１に示すように、接触センサ１２０により、左手の親指Ｆ１Ｌの付け根と人差し指Ｆ２Ｌの付け根との間の接触位置Ｆ４１Ｌが検出される。そして、重力センサ６２０により、図４２に示すように、ペン型入力装置６０１に働く重力が矢印Ａ方向であることが検出されたとき、持ち手判定部６８０は、接触センサ１２０の左側で持ち手の親指Ｆ１Ｌの付け根と人差し指Ｆ２Ｌの付け根との間の一部Ｆ４Ｌを検出していることから、持ち手は左手であると判定する。
【０２３７】
一方、利用者Ｐがペン型入力装置６０１を右手で保持している場合は、図４３に示すように、接触センサ１２０により、持ち手の親指Ｆ１の付け根と人差し指Ｆ２の付け根との間の接触位置Ｆ４１Ｒが検出される。そして、重力センサ６２０により、図４４に示すように、ペン型入力装置６０１に働く重力が矢印Ａ方向であることが検出されたとき、持ち手判定部６８０は、接触センサ１２０は右側で持ち手の親指Ｆ１Ｒの付け根と人差し指Ｆ２Ｒの付け根との間の一部Ｆ４Ｒを検出していることから、持ち手は右手であると判定する。
【０２３８】
このようにして、重力センサ６２０と接触センサ１２０との検出結果に基づき、利用者Ｐが左右のいずれかの持ち手でペン型入力装置６０１を保持しているかを判定することができる。
【０２３９】
（ペン型入力装置に持ち手に応じたメニュー画面の表示）
第６実施形態では、利用者Ｐのペン型入力装置６０１を保持する持ち手が右手であるか左手であるかを確実に判断できるので、ペン型入力装置６０１の持ち手に応じて、利用者Ｐが見やすい位置に、入力操作に関するメニュー画面を表示することができる。
【０２４０】
例えば、利用者Ｐが右手でペン型入力装置６０１を保持している場合は、図４５に示すように、表示装置６００１の表示画面６１００において、利用者Ｐが保持するペン型入力装置６０１の図中左側にメニュー画面Ｍ１を表示する。
【０２４１】
ここで、第６実施形態に係るペン型入力装置６０１により表示装置６００１の表示画面６１００にメニュー画面Ｍ１を表示する手順について、一例をフローチャートに沿って説明する。
図４６は第６実施形態に係るペン型入力装置によりメニュー画面を表示画面に表示する処理の一手順を示すフローチャートである。
【０２４２】
図４６に示すように、ペン型入力装置６０１を用いて表示装置６００１において入力操作を行う場合は、まず、利用者Ｐはペン型入力装置６０１を手に取り、使用する状態に保持する（Ｓ１０１）。以下、ペン型入力装置６０１の保持位置に応じた機能の設定を行う処理は、第１実施形態と同様に行われる。したがって、Ｓ１０９までの説明は省略する。
【０２４３】
Ｓ１０９に続き、重力センサ６２０により重力方向を検出する（Ｓ６０１）。
そして、持ち手判定部６８０により、重力センサ６２０による検出結果と接触センサ１２０による検出結果に基づき、利用者Ｐが左右のいずれかの持ち手でペン型入力装置６０１を保持しているかを判定する（Ｓ６０３）。
【０２４４】
そして、制御部６７０により、持ち手判定部６８０による判定結果に基づき、表示装置６００１の表示画面６１００において、ペン型入力装置６０１を保持する持ち手と反対側の表示領域を、メニュー画面Ｍ１を表示する領域と判定する（Ｓ６０５）。
【０２４５】
そして、メニュー画面Ｍ１は、表示装置６００１の表示画面６１００の特定された領域に表示される（Ｓ６０７）。
【０２４６】
このようにして、ペン型入力装置１を保持する持ち手に応じて、表示装置６００１の表示画面６１００の最適な領域にメニュー画面Ｍ１を表示することができる。
【０２４７】
第６実施形態では、図４５に示すように、利用者Ｐによるペン型入力装置６０１の持ち手は右側であるため、表示画面６１００において、ペン型入力装置６０１の左側は利用者Ｐに隠れて見えない領域なので、利用者Ｐ以外の人の表示画面６１００の閲覧を邪魔することなく、しかも、利用者Ｐにとって見やすい位置にメニュー画面Ｍ１を表示することができる。
【０２４８】
以上のように構成したので、第６実施形態によれば、ペン型入力装置６０１において、重力センサ６２０と、持ち手判定部６８０とを備えることで、接触センサ１２０による検出結果と重力センサ６２０による検出結果に基づき、利用者Ｐのペン型入力装置６０１の持ち手が右手であるか左手であるかを正確に判定することができる。
【０２４９】
（第７実施形態）
次に、第７実施形態について図面を参照して説明する。
図４７は第７実施形態に係るペン型入力装置の構成を示すブロック図、図４８は前記ペン型入力装置により軌跡入力位置を移動した状態を示す説明図、図４９は前記ペン型入力装置による表示画面への従来の入力時のペン先の位置と軌跡入力位置との位置関係を示す説明図である。
【０２５０】
なお、説明の便宜上、第４実施形態と同一の機能を有する構成には、同一の番号を付して説明を省略する。
【０２５１】
第７実施形態に係るペン型入力装置７０１は、ペン型入力装置６０１の構成に加えて、図４７に示すように、利用者Ｐのペン型入力装置７０１を保持する持ち手が右手か左手かを判定する判定結果に基づき、ペン型入力装置７０１により入力される描画の軌跡入力位置を移動する入力位置変更部７９０を備えることを特徴とするものである。
【０２５２】
（ペン型入力装置の構成）
ペン型入力装置７０１は、主に、ペン本体６１０と、接触センサ１２０と、検出位置判定部１３０と、機能特定部１４０と、機能切替部１５０と、通信部１６０と、重力センサ６２０と、持ち手判定部６８０と、制御部７７０とを備え、さらに、入力位置変更部７９０を備えて構成されている。
【０２５３】
入力位置変更部７９０は、持ち手判定部６８０による判定結果に基づき、利用者Ｐが入力操作を行うペン先の位置と、ペン型入力装置７０１により入力される描画の軌跡入力位置とが、利用者Ｐの視認する視線上で一致するように軌跡入力位置を設定して移動する。
【０２５４】
表示装置６００１の表示画面６１００は、図４８に示すように、表面に位置する操作入力部６１０１と操作入力部６１０１の下に重ねて配置される表示部６１０２とを備えて構成されている。
【０２５５】
利用者Ｐがペン型入力装置７０１を用いて表示画面６１００上で描画を入力する操作を行う場合、図４９に示すように、操作入力部６１０１上でペン型入力装置７０１のペン先に対向する位置ｐ１と、表示部６１０２に表示されると第１の軌跡入力位置ｐ２とが平面上で一致するよう構成すると、利用者Ｐが斜めから見たときに、操作入力部６１０１の厚さの影響で視差が生じて、利用者Ｐの視線上でずれが生じる。
【０２５６】
第７実施形態に係るペン型入力装置７０１によれば、図４８に示すように、利用者Ｐが入力操作を行うペン先の位置ｐ１と、ペン型入力装置７０１により入力される描画の第２の軌跡入力位置ｐ３とが利用者Ｐの視認する視線上で一致するように、ペン先の位置ｐ１と表示部６１０２上で対向する第１の軌跡入力位置ｐ２からΔＬ移動した位置を第２の軌跡入力位置ｐ３とする。
【０２５７】
具体的には、持ち手判定部６８０による判定結果に基づき、入力位置変更部７９０により、利用者Ｐのペン型入力装置７０１の持ち手側（右手であれば右側、左手であれば左側）にΔＬ移動した位置を第２の軌跡入力位置ｐ３とする。
【０２５８】
このようにして、入力位置変更部７９０により、ペン型入力装置７０１により入力される描画の第２の軌跡入力位置ｐ３を設定することで、利用者Ｐが斜めから見たときの視差を抑制することができる。
【０２５９】
以上のように構成したので、第７実施形態によれば、ペン型入力装置７０１において、入力位置変更部７９０により、操作入力部６１０１上でペン型入力装置７０１のペン先に対向する位置ｐ１と、ペン型入力装置７０１により入力される描画の第２の軌跡入力位置ｐ３とが利用者Ｐの視認する視線上で一致するように、利用者Ｐの持ち手側に第２の軌跡入力位置ｐ３を設定することで、操作入力部６１０１の厚さの影響による視差を抑制して、視認性を良くして、操作性の向上を図ることができる。
【０２６０】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０２６１】
１，２０１，３０１，４０１，５０１，６０１，７０１  ペン型入力装置
１１０，２１０，３１０，４１０，５１０，６１０  ペン本体
１２０，２２０，３２０，４２０，５２０  接触センサ
１２１，２２１  第１接触センサ
１２２，２２２  第２接触センサ
１３０，２３０，３３０，４３０，５３０  検出位置判定部
１４０，２４０，３４０，４４０，５４０  機能特定部
１５０  機能切替部
１７０，２７０，４７０，５７０，６７０，７７０  制御部
２１３，３１３  表示部
２２３，３２３  検出部
６２０  重力センサ
６８０  持ち手判定部
７９０  入力位置変更部
６００１  表示装置
６１００  表示画面
６１０１  操作入力部
６１０２  表示部
Ｆ１，Ｆ１Ｌ，Ｆ１Ｒ  親指
Ｆ２，Ｆ２Ｌ，Ｆ２Ｒ  人差し指
Ｆ３  中指
Ｆ１１，Ｆ２１，Ｆ３１  保持位置
Ｆ４１，Ｆ４１Ｌ，Ｆ４１Ｒ  接触位置
Ｌ１  細線
Ｌ２  太線
Ｍ１  メニュー画面
【図１】
2020144697.tif 000003
【図２】
2020144697.tif 000004
【図３】
2020144697.tif 000005
【図４】
2020144697.tif 000006
【図５】
2020144697.tif 000007
【図６】
2020144697.tif 000008
【図７】
2020144697.tif 000009
【図８】
2020144697.tif 000010
【図９】
2020144697.tif 000011
【図１０】
2020144697.tif 000012
【図１１】
2020144697.tif 000013
【図１２】
2020144697.tif 000014
【図１３】
2020144697.tif 000015
【図１４】
2020144697.tif 000016
【図１５】
2020144697.tif 000017
【図１６】
2020144697.tif 000018
【図１７】
2020144697.tif 000019
【図１８】
2020144697.tif 000020
【図１９】
2020144697.tif 000021
【図２０】
2020144697.tif 000022
【図２１】
2020144697.tif 000023
【図２２】
2020144697.tif 000024
【図２３】
2020144697.tif 000025
【図２４】
2020144697.tif 000026
【図２５】
2020144697.tif 000027
【図２６】
2020144697.tif 000028
【図２７】
2020144697.tif 000029
【図２８】
2020144697.tif 000030
【図２９】
2020144697.tif 000031
【図３０】
2020144697.tif 000032
【図３１】
2020144697.tif 000033
【図３２】
2020144697.tif 000034
【図３３】
2020144697.tif 000035
【図３４】
2020144697.tif 000036
【図３５】
2020144697.tif 000037
【図３６】
2020144697.tif 000038
【図３７】
2020144697.tif 000039
【図３８】
2020144697.tif 000040
【図３９】
2020144697.tif 000041
【図４０】
2020144697.tif 000042
【図４１】
2020144697.tif 000043
【図４２】
2020144697.tif 000044
【図４３】
2020144697.tif 000045
【図４４】
2020144697.tif 000046
【図４５】
2020144697.tif 000047
【図４６】
2020144697.tif 000048
【図４７】
2020144697.tif 000049
【図４８】
2020144697.tif 000050
【図４９】
2020144697.tif 000051